(57)【特許請求の範囲】
【請求項１】
密閉システム調剤投薬装置であって、
相対する第１方向と第２方向とを有すると共に、プッシュバレルと、相対する接続ベース第１端部と接続ベース第２端部とを有する接続ベースを含み、該接続ベース第２端部が該接続ベース第１端部に向かう方向は第１方向であり、
前記プッシュバレルは、相対する外筒第１端部と外筒第２端部とを有する外筒、相対する内筒第１端部と内筒第２端部とを有する内筒、及び相対するプッシュロッド第１端部とプッシュロッド第２端部とを有するプッシュロッドを含み、該外筒第２端部が該外筒第１端部に向かう方向、該内筒第２端部が該内筒第１端部に向かう方向、該プッシュロッド第２端部が該プッシュロッド第１端部に向かう方向は、第１方向であり、
前記外筒は、相対する吸気管第１端部と吸気管第２端部とを有する吸気管と接続孔を含み、該吸気管第２端部が該吸気管第１端部に向かう方向は第１方向であり、該吸気管は、該外筒の外筒第１端部から該第１方向に突出して延び、該吸気管内には、該吸気管の吸気管第１端部の開口に隣接してゴム栓が設けられ、該ゴム栓には、密閉状態である切り込みが設けられ、該接続孔は、該外筒の外筒第１端部に設けられるとともに、該吸気管と離間するように設けられ、
前記内筒は、前記外筒を貫通するように該外筒内に設けられ、該内筒は、空気孔と、相対する薬液吸入管第１端部と薬液吸入管第２端部とを有する薬液吸入管を更に含み、該薬液吸入管第２端部が該薬液吸入管第１端部に向かう方向は第１方向であり、該空気孔は、該内筒の内側環状壁面に設けられて、該内筒の内部空間と外筒の内部空間とを互いに連通させ、該薬液吸入管は、該内筒の内筒第１端部に設けられるとともに、該外筒の接続孔を貫通して該接続孔内に設けられ、該薬液吸入管内には、該薬液吸入管の薬液吸入管第１端部の開口に隣接するようにゴム栓が設けられ、該ゴム栓には、密閉状態である切り込みが設けられ、
前記プッシュロッドは、前記第１方向及び第２方向に沿って移動可能に前記外筒及び内筒を貫通すると共に、そのプッシュロッド第１端部に、該内筒の内部空間を互いに連通しない２つの第１方向側部分及び第２方向側部分に分割するピストン部が設けられ、
前記接続ベースは、前記プッシュバレルに着脱可能に接続されるとともに、相対する接続カバー第１端部と接続カバー第２端部とを有する接続カバー、相対するリーマ針第１端部とリーマ針第２端部とを有する２本のリーマ針、弾性弁及び止水部材を含み、該接続カバー第２端部が該接続カバー第１端部に向かう方向、該リーマ針第２端部が該リーマ針第１端部に向かう方向は第１方向であり、
前記接続カバーは、少なくとも１つの外部接続孔を含み、
前記２本のリーマ針は、前記接続カバーに、先端が前記第２方向を向くように設けられ、それぞれ、前記薬液吸入管のゴム栓の切り込み及び前記吸気管のゴム栓の切り込みを選択的に貫通し、更に、該２本のリーマ針は、前記接続カバーの少なくとも１つの外部接続孔と連通する、それぞれ独立した内部空間と、前記リーマ針のリーマ針第２端部に設けられた第１開口を含み、
前記弾性弁は、圧縮可能な弾性体であり、前記接続カバー内に設けられるとともに、前記２本のリーマ針の外側を選択的に覆い、該弾性弁における、該２本のリーマ針のリーマ針第２端部に対応する位置にそれぞれ２つの切り込みが設けられ、該２つの切り込みは密閉状態であり、該２本のリーマ針が該２つの切り込みを選択的に貫通し、
前記止水部材は、前記接続カバー内に設けられるとともに、前記吸気管に対応する前記リーマ針の内部空間に対応している、
ことを特徴とする、密閉システム調剤投薬装置。
【請求項２】
前記止水部材が疎水性を有する濾紙であることを特徴とする、請求項１に記載の密閉システム調剤投薬装置。
【請求項３】
前記薬液吸入管に対応する前記リーマ針は、該リーマ針の側壁面において、前記第１開口の第１方向側に設けられる第２開口を更に含む、
ことを特徴とする、請求項１又は２に記載の密閉システム調剤投薬装置。
【請求項４】
前記外筒は、該外筒の外筒第１端部の周縁を囲むように該外筒の外筒第１端部に形成され、且つ該第１方向に沿って垂直に延びる外カバーと、該外カバーの内壁面に凹設されるミス防止溝を更に含み、
前記接続ベースの接続カバーは、該接続カバーの側壁面から突出するように伸びるとともに、前記ミス防止溝に摺動可能に嵌合するミス防止突起を更に含む、
ことを特徴とする、請求項１又は２に記載の密閉システム調剤投薬装置。
【請求項５】
前記外筒の外筒第２端部に外筒開口が更に形成され、
前記内筒の内筒第２端部に内筒開口が更に形成され、該内筒が、前記外筒開口を経由して前記外筒の内部を貫通するように設けられ、
前記内筒の内筒第２端部及び前記外筒の外筒第２端部に設けられ、且つ、前記外筒開口及び内筒開口を覆うとともに、該外筒と内筒を締め付け固定し、相対する気密蓋第１端部と気密蓋第２端部とを有する気密蓋と、該気密蓋の気密蓋第１端部と内筒開口との間で、該気密蓋の気密蓋第１端部及び内筒開口に密着する気密リングを更に含み、該気密蓋第２端部が該気密蓋第１端部に向かう方向は第１方向である、
ことを特徴とする、請求項１又は２に記載の密閉システム調剤投薬装置。
【請求項６】
前記接続ベースの接続ベース第１端部に漏れ防止部材が設けられる、
ことを特徴とする、請求項５に記載の密閉システム調剤投薬装置。
【請求項７】
前記外筒は、第１接続部材をさらに含み、
前記接続カバーは、前記第１接続部材と着脱可能に接続される第２接続部材を更に含む、
ことを特徴とする、請求項１又は２に記載の密閉システム調剤投薬装置。
【請求項８】
前記第１接続部材は、前記外筒において前記第１方向及び第２方向に沿って摺動可能に外嵌されたスライドブッシュと、前記外筒の外筒第１端部の相対する両側に設けられ、且つ前記外カバーの外側に向かって折れ曲がる２つの弾性係止部を含み、
前記第２接続部材は、前記接続カバーにおいて内側に向かって水平にくぼむように設けられた２つの係止フック溝を含み、該２つの係止フック溝の位置は、前記２つの弾性係止部に対応し、
前記外筒と接続ベースとを接続するとき、前記スライドブッシュが前記第１方向に摺動して前記２つの弾性係止部に当接し、該２つの弾性係止部を、対応する前記２つの係止フック溝に係合させる、
ことを特徴とする、請求項７に記載の密閉システム調剤投薬装置。
【請求項９】
前記第１接続部材は、前記外筒の外筒第１端部の相対する２つの内側面に形成された２つのラッチ状フックを含み、
前記第２接続部材は、前記接続カバーにおいて内側に向かって水平にくぼむように設けられた２つの係止フック溝を含み、該２つの係止フック溝の位置は、前記２つのラッチ状フックに対応し、
前記外筒と接続ベースとを接続するとき、前記２つのラッチ状フックが、対応する前記２つの係止フック溝に係合する、
ことを特徴とする、請求項７に記載の密閉システム調剤投薬装置。
【請求項１０】
前記第１接続部材は、前記外筒の外筒第１端部の相対する両側面に設けられる２つのクリップフックを含み、該各クリップフックが、互いに連動するフック部と、押圧部を有し、該フック部が該押圧部の第１方向側に形成され、
前記第２接続部材は、相対する柱体第１端部と柱体第２端部とを有する２つの柱体を含み、該柱体第２端部が該柱体第１端部に向かう方向は第１方向であり、該２つの柱体は、前記接続ベースの接続ベース第２端部に形成され、該各柱体の柱体第２端部がかぎ状であり、
前記外筒と接続ベースとを接続するときは、前記２つのフック部が、対応する前記２つの柱体の柱体第２端部に係合する、
ことを特徴とする、請求項７に記載の密閉システム調剤投薬装置。
【請求項１１】
密閉システム調剤投薬装置であって、
相対する第１方向と第２方向とを有すると共に、プッシュバレルと、相対する接続ベース第１端部と接続ベース第２端部とを有する接続ベースを含み、該接続ベース第２端部が該接続ベース第１端部に向かう方向は第１方向であり、
前記プッシュバレルは、相対する外筒第１端部と外筒第２端部とを有する外筒、相対する内筒第１端部と内筒第２端部とを有する内筒及び相対するプッシュロッド第１端部とプッシュロッド第２端部とを有するプッシュロッドを含み、該外筒第２端部が該外筒第１端部に向かう方向、該内筒第２端部が該内筒第１端部に向かう方向、該プッシュロッド第２端部が該プッシュロッド第１端部に向かう方向は、第１方向であり、
前記外筒は、相対する吸気管第１端部と吸気管第２端部とを有する吸気管と接続孔を含み、該吸気管第２端部が該吸気管第１端部に向かう方向は第１方向であり、該吸気管は、該外筒の外筒第１端部から該第１方向に突出して延び、該吸気管内には、該吸気管の吸気管第１端部の開口に隣接してゴム栓が設けられ、該ゴム栓には、密閉状態である切り込みが設けられ、該接続孔は、該外筒の外筒第１端部に設けられるとともに、該吸気管と離間するように設けられ、
前記内筒は、前記外筒を貫通するように該外筒内に設けられ、該内筒は、空気孔と、相対する薬液吸入管第１端部と薬液吸入管第２端部とを有する薬液吸入管を更に含み、該薬液吸入管第２端部が該薬液吸入管第１端部に向かう方向は第１方向であり、該空気孔は、該内筒の内側環状壁面に設けられて、該内筒の内部空間と外筒の内部空間とを互いに連通させ、該薬液吸入管は、該内筒の内筒第１端部に設けられるとともに、該外筒の接続孔を貫通して該接続孔内に設けられ、該薬液吸入管内には、該薬液吸入管の薬液吸入管第１端部の開口に隣接するようにゴム栓が設けられ、該ゴム栓には、密閉状態である切り込みが設けられ、
前記プッシュロッドは、前記第１方向及び第２方向に沿って移動可能に前記外筒及び内筒を貫通すると共に、そのプッシュロッド第１端部に、該内筒の内部空間を互いに連通しない２つの第１方向側部分及び第２方向側部分に分割するピストン部が設けられ、
前記接続ベースは、前記プッシュバレルに着脱可能に接続されるとともに、相対する接続カバー第１端部と接続カバー第２端部とを有する接続カバー、相対するリーマ針第１端部とリーマ針第２端部とを有する２本のリーマ針、弾性弁及び逆止弁を含み、該接続カバー第２端部が該接続カバー第１端部に向かう方向、該リーマ針第２端部が該リーマ針第１端部に向かう方向は第１方向であり、
前記接続カバーは、少なくとも１つの外部接続孔を含み、
前記２本のリーマ針は、前記接続カバーに、先端が前記第２方向を向くように設けられ、それぞれ、前記薬液吸入管のゴム栓の切り込み及び前記吸気管のゴム栓の切り込みを選択的に貫通し、更に、該２本のリーマ針は、前記接続カバーの少なくとも１つの外部接続孔と連通する、それぞれ独立した内部空間と、前記リーマ針のリーマ針第２端部に設けられた第１開口を含み、
前記弾性弁は、圧縮可能な弾性体であり、前記接続カバー内に設けられるとともに、前記２本のリーマ針の外側を選択的に覆い、該弾性弁における該２本のリーマ針のリーマ針第２端部に対応する位置にそれぞれ２つの切り込みが設けられ、該２つの切り込みは密閉状態であり、該２本のリーマ針が該２つの切り込みを選択的に貫通し、
前記逆止弁は、前記接続カバー内に設けられるとともに、前記吸気管に対応する前記リーマ針の内部空間に対応し、空気を一方向にのみ通過させる、ことを特徴とする、密閉システム調剤投薬装置。
【請求項１２】
前記接続ベースは、挿入針とバイアル係合部をさらに含み、該挿入針が、該接続ベースの接続ベース第１端部に設けられるとともに、該接続ベース及び前記２本のリーマ針と接続されて連通し、前記少なくとも１つの外部接続孔が、該挿入針を貫通するように該挿入針に形成され、該バイアル係合部が、前記接続カバーの接続カバー第１端部に設けられる、
ことを特徴とする、請求項１１に記載の密閉システム調剤投薬装置。
【請求項１３】
前記接続ベースは、前記接続カバーの接続カバー第１端部から前記第１方向に突出して延びる接続リングを更に含み、該接続リングの内壁面に雌ネジが形成されている、
ことを特徴とする、請求項１１に記載の密閉システム調剤投薬装置。
【請求項１４】
前記接続ベースは、一端が前記接続カバーの接続カバー第１端部に設けられるとともに、前記少なくとも１つの外部接続孔と連通するＹ型管を更に含む、
ことを特徴とする、請求項１１に記載の密閉システム調剤投薬装置。
【請求項１５】
前記接続ベースは、アダプタベースと点滴接続管を含む点滴接続器をさらに含み、該アダプタベースの側壁面が、前記接続カバーの接続カバー第１端部に接続されるとともに、前記少なくとも１つの外部接続孔と連通し、該点滴接続管が、該アダプタベースに設けられる、
ことを特徴とする、請求項１１に記載の密閉システム調剤投薬装置。
【発明の詳細な説明】
【技術分野】
【０００１】
本発明は、調剤投薬システムに関するものであり、特に薬液及び薬剤から発生するガスの外部への漏れを確実に防止できる密閉システム調剤投薬装置に関するものである。
【背景技術】
【０００２】
従来技術における薬の採取、投薬の方法は、スチール製の針先を有する注射筒を、採取しようとするバイアルに挿入し、内部の薬液を注射筒内に吸引した後、注射筒を抜いて、この注射筒内の薬液を、注射針を介して患者の点滴液や希釈液に注入する、または、患者の静脈に直接注射する、というものである。
【０００３】
しかし、このような注射筒を利用して薬液を採取する過程では、特に厳密な密閉や漏れ防止が行われていないため、薬液を注射筒に吸入してから注射するまでの間、薬液が漏れたり、または、薬液の揮発性によってガスが放出されたりする可能性が高い。また、医療現場は、薬物が複雑に使用される環境であり、薬物により健康な医療スタッフに害を及ぼす恐れがあるだけでなく、注射の各過程で誤って漏れ出すと、病院内の各所に残留してしまう可能性が高く、異なる薬が混ざれば、病院自体が非常に危険な職場となってしまう虞がある。
【０００４】
また、注射針を用いて注射を行う際、医療スタッフが不注意により注射針でけがをする場合もあり、注射針の先に薬液が残っていると、医療スタッフへの不要な感染を招いてしまうことから、注射針を使った従来技術の投薬方法には改善の余地があった。
【発明の概要】
【発明が解決しようとする課題】
【０００５】
従来技術の欠点及び不足点に鑑み、本発明は、リーマ針を管内に埋め込むとともに、薬液を採取する過程において完全に覆った状態とし、薬液の採取と投薬の過程においても密閉状態を保つことにより、薬液が外に漏れたり、リーマ針によってけがをしたりするリスクが発生しない密閉システム調剤投薬装置を提供することを目的としている。
【課題を解決するための手段】
【０００６】
上記の目的を達成するため、本発明が採用する技術手段は、密閉システム調剤投薬装置であって、
相対する第１方向と第２方向とを有すると共に、プッシュバレルと、相対する接続ベース第１端部と接続ベース第２端部とを有する接続ベースを含み、該接続ベース第２端部が該接続ベース第１端部に向かう方向は第１方向であり、
前記プッシュバレルは、相対する外筒第１端部と外筒第２端部とを有する外筒、相対する内筒第１端部と内筒第２端部とを有する内筒、及び相対するプッシュロッド第１端部とプッシュロッド第２端部とを有するプッシュロッドを含み、該外筒第２端部が該外筒第１端部に向かう方向、該内筒第２端部が該内筒第１端部に向かう方向、該プッシュロッド第２端部が該プッシュロッド第１端部に向かう方向は、第１方向であり、
前記外筒は、相対する吸気管第１端部と吸気管第２端部とを有する吸気管と接続孔を含み、該吸気管第２端部が該吸気管第１端部に向かう方向は第１方向であり、該吸気管は、該外筒の外筒第１端部から該第１方向に突出して延び、該吸気管内には、該吸気管の吸気管第１端部の開口に隣接してゴム栓が設けられ、該ゴム栓には、密閉状態である切り込みが設けられ、該接続孔は、該外筒の外筒第１端部に設けられるとともに、該吸気管と離間するように設けられ、
前記内筒は、前記外筒を貫通するように該外筒内に設けられ、該内筒は、空気孔と、相対する薬液吸入管第１端部と薬液吸入管第２端部とを有する薬液吸入管を更に含み、該薬液吸入管第２端部が該薬液吸入管第１端部に向かう方向は第１方向であり、該空気孔は、該内筒の内側環状壁面に設けられて、該内筒の内部空間と外筒の内部空間とを互いに連通させ、該薬液吸入管は、該内筒の内筒第１端部に設けられるとともに、該外筒の接続孔を貫通して該接続孔内に設けられ、該薬液吸入管内には、該薬液吸入管の薬液吸入管第１端部の開口に隣接するようにゴム栓が設けられ、該ゴム栓には、密閉状態である切り込みが設けられ、
前記プッシュロッドは、前記第１方向及び第２方向に沿って移動可能に前記外筒及び内筒を貫通すると共に、そのプッシュロッド第１端部に、該内筒の内部空間を互いに連通しない２つの第１方向側部分及び第２方向側部分に分割するピストン部が設けられ、
前記接続ベースは、前記プッシュバレルに着脱可能に接続されるとともに、相対する接続カバー第１端部と接続カバー第２端部とを有する接続カバー、相対するリーマ針第１端部とリーマ針第２端部とを有する２本のリーマ針、弾性弁及び止水部材を含み、該接続カバー第２端部が該接続カバー第１端部に向かう方向、該リーマ針第２端部が該リーマ針第１端部に向かう方向は第１方向であり、
前記接続カバーは、少なくとも１つの外部接続孔を含み、
前記２本のリーマ針は、前記接続カバーに、先端が前記第２方向を向くように設けられ、それぞれ、前記薬液吸入管のゴム栓の切り込み及び前記吸気管のゴム栓の切り込みを選択的に貫通し、更に、該２本のリーマ針は、前記接続カバーの少なくとも１つの外部接続孔と連通する、それぞれ独立した内部空間と、前記リーマ針のリーマ針第２端部に設けられた第１開口を含み、
前記弾性弁は、圧縮可能な弾性体であり、前記接続カバー内に設けられるとともに、前記２本のリーマ針の外側を選択的に覆い、該弾性弁における、該２本のリーマ針のリーマ針第２端部に対応する位置にそれぞれ２つの切り込みが設けられ、該２つの切り込みは密閉状態であり、該２本のリーマ針が該２つの切り込みを選択的に貫通し、
前記止水部材は、前記接続カバー内に設けられるとともに、前記吸気管に対応する前記リーマ針の内部空間に対応している、ことを特徴とする。
【０００７】
上記の目的を達成するため、本発明が採用する技術手段は、密閉システム調剤投薬装置であって、
相対する第１方向と第２方向とを有すると共に、プッシュバレルと、相対する接続ベース第１端部と接続ベース第２端部とを有する接続ベースを含み、該接続ベース第２端部が該接続ベース第１端部に向かう方向は第１方向であり、
前記プッシュバレルは、相対する外筒第１端部と外筒第２端部とを有する外筒、相対する内筒第１端部と内筒第２端部とを有する内筒及び相対するプッシュロッド第１端部とプッシュロッド第２端部とを有するプッシュロッドを含み、該外筒第２端部が該外筒第１端部に向かう方向、該内筒第２端部が該内筒第１端部に向かう方向、該プッシュロッド第２端部が該プッシュロッド第１端部に向かう方向は、第１方向であり、
前記外筒は、相対する吸気管第１端部と吸気管第２端部とを有する吸気管と接続孔を含み、該吸気管第２端部が該吸気管第１端部に向かう方向は第１方向であり、該吸気管は、該外筒の外筒第１端部から該第１方向に突出して延び、該吸気管内には、該吸気管の吸気管第１端部の開口に隣接してゴム栓が設けられ、該ゴム栓には、密閉状態である切り込みが設けられ、該接続孔は、該外筒の外筒第１端部に設けられるとともに、該吸気管と離間するように設けられ、
前記内筒は、前記外筒を貫通するように該外筒内に設けられ、該内筒は、空気孔と、相対する薬液吸入管第１端部と薬液吸入管第２端部とを有する薬液吸入管を更に含み、該薬液吸入管第２端部が該薬液吸入管第１端部に向かう方向は第１方向であり、該空気孔は、該内筒の内側環状壁面に設けられて、該内筒の内部空間と外筒の内部空間とを互いに連通させ、該薬液吸入管は、該内筒の内筒第１端部に設けられるとともに、該外筒の接続孔を貫通して該接続孔内に設けられ、該薬液吸入管内には、該薬液吸入管の薬液吸入管第１端部の開口に隣接するようにゴム栓が設けられ、該ゴム栓には、密閉状態である切り込みが設けられ、
前記プッシュロッドは、前記第１方向及び第２方向に沿って移動可能に前記外筒及び内筒を貫通すると共に、そのプッシュロッド第１端部に、該内筒の内部空間を互いに連通しない２つの第１方向側部分及び第２方向側部分に分割するピストン部が設けられ、
前記接続ベースは、前記プッシュバレルに着脱可能に接続されるとともに、相対する接続カバー第１端部と接続カバー第２端部とを有する接続カバー、相対するリーマ針第１端部とリーマ針第２端部とを有する２本のリーマ針、弾性弁及び逆止弁を含み、該接続カバー第２端部が該接続カバー第１端部に向かう方向、該リーマ針第２端部が該リーマ針第１端部に向かう方向は第１方向であり、
前記接続カバーは、少なくとも１つの外部接続孔を含み、
前記２本のリーマ針は、前記接続カバーに、先端が前記第２方向を向くように設けられ、それぞれ、前記薬液吸入管のゴム栓の切り込み及び前記吸気管のゴム栓の切り込みを選択的に貫通し、更に、該２本のリーマ針は、前記接続カバーの少なくとも１つの外部接続孔と連通する、それぞれ独立した内部空間と、前記リーマ針のリーマ針第２端部に設けられた第１開口を含み、
前記弾性弁は、圧縮可能な弾性体であり、前記接続カバー内に設けられるとともに、前記２本のリーマ針の外側を選択的に覆い、該弾性弁における該２本のリーマ針のリーマ針第２端部に対応する位置にそれぞれ２つの切り込みが設けられ、該２つの切り込みは密閉状態であり、該２本のリーマ針が該２つの切り込みを選択的に貫通し、
前記逆止弁は、前記接続カバー内に設けられるとともに、前記吸気管に対応する前記リーマ針の内部空間に対応し、空気を一方向にのみ通過させる、ことを特徴とする。
【０００８】
本発明の利点は、使用時において、プッシュバレルと接続ベースが結合されていない時に、外筒及び内筒のゴム栓はいずれも密閉状態にあり、接続ベースの弾性弁の２つの切り込みも同様に密閉状態にあるが、接続ベースとプッシュバレルとを結合させる時には、接続ベースの２本のリーマ針を、弾性弁の２つの切り込み及びプッシュバレルの２つのゴム栓を貫通させて、プッシュバレルと接続ベースを、２本のリーマ針を介して互いに連通させることにより、密閉状態のまま接続ベースを各種物品に設置することができ、プッシュバレルの結合後は、直ちに各種物品と連通することができる。また、薬を採取する過程において、接続ベースとプッシュバレルが結合すると、１本のリーマ針に止水部材が設けられていることから、薬液を、薬液吸入管とプッシュバレルのガス排出管にそれぞれ進入させることができる。
従って、本発明には、具体的に以下の４つの利点がある。
第一に、薬液吸入管及び吸気管の二重管設計と止水部材の設置により、薬液及び空気を、それぞれが流通する管に分流させることができる。
第二に、薬液の採取は、全て、吸気管及び薬液吸入管の内部の２本のリーマ針において行うため、薬液が外部に漏れ出す虞がないだけでなく、薬品が揮発性の場合、そのガスも吸気管を介してプッシュロッドを出入りし、つまり、気密された内部通路から外気中に漏れ出すことがないので、医療スタッフが薬品を吸引する際の安全性が大幅に向上する。
第三に、薬液が付着したリーマ針は弾性弁内に設置されており、露出していないので、人に怪我を負わせることはない。
第四に、従来技術においては、薬液を吸引する場合であっても、必要な箇所へ注射する場合であっても、細いスチール針を伝送管としているため、医療スタッフがスチール針を正しい位置に挿入できないというミスが起こっていたが、本発明では、薬液吸入管、吸気管及びそれらと組み合わされた接続ベースを伝送媒体とし、その管径は、細いスチール針より遥かに大きいことから、医療スタッフは、本発明を正確且つ迅速に正しい薬液採取位置に挿入することができる。
【０００９】
さらに、密閉システム調剤投薬装置は、前記止水部材が疎水性を有する濾紙であることを特徴とする。
【００１０】
さらに、密閉システム調剤投薬装置は、前記薬液吸入管に対応する前記リーマ針は、該リーマ針の側壁面において、前記第１開口の第１方向側に設けられる第２開口を更に含む、ことを特徴とする。
【００１１】
さらに、密閉システム調剤投薬装置は、前記外筒が、該外筒の外筒第１端部の周縁を囲むように該外筒の外筒第１端部に形成され、且つ該第１方向に沿って垂直に延びる外カバーと、該外カバーの内壁面に凹設されるミス防止溝を更に含み、前記接続ベースの接続カバーは、該接続カバーの側壁面から突出するように伸びるとともに、前記ミス防止溝に摺動可能に嵌合するミス防止突起を更に含む、ことを特徴とする。
【００１２】
さらに、密閉システム調剤投薬装置は、前記外筒の外筒第２端部に外筒開口が更に形成され、前記内筒の内筒第２端部に内筒開口が更に形成され、該内筒が、前記外筒開口を経由して前記外筒の内部を貫通するように設けられ、前記内筒の内筒第２端部及び前記外筒の外筒第２端部に設けられ、且つ、前記外筒開口及び内筒開口を覆うとともに、該外筒と内筒を締め付け固定し、相対する気密蓋第１端部と気密蓋第２端部とを有する気密蓋と、該気密蓋の気密蓋第１端部と内筒開口との間で、該気密蓋の気密蓋第１端部及び内筒開口に密着する気密リングを更に含み、該気密蓋第２端部が該気密蓋第１端部に向かう方向は第１方向である、ことを特徴とする。
【００１３】
さらに、密閉システム調剤投薬装置は、前記接続ベースの接続ベース第１端部に漏れ防止部材が設けられる、ことを特徴とする。
【００１４】
さらに、密閉システム調剤投薬装置は、前記外筒が、第１接続部材をさらに含み、前記接続カバーが、前記第１接続部材と着脱可能に接続される第２接続部材を更に含む、ことを特徴とする。
【００１５】
さらに、密閉システム調剤投薬装置は、前記第１接続部材が、前記外筒において前記第１方向及び第２方向に沿って摺動可能に外嵌されたスライドブッシュと、前記外筒の外筒第１端部の相対する両側に設けられ、且つ前記外カバーの外側に向かって折れ曲がる２つの弾性係止部を含み、前記第２接続部材は、前記接続カバーにおいて内側に向かって水平にくぼむように設けられた２つの係止フック溝を含み、該２つの係止フック溝の位置は、前記２つの弾性係止部に対応し、前記外筒と接続ベースとを接続するとき、前記スライドブッシュが前記第１方向に摺動して前記２つの弾性係止部に当接し、該２つの弾性係止部を、対応する前記２つの係止フック溝に係合させる、ことを特徴とする。
【００１６】
さらに、密閉システム調剤投薬装置は、前記第１接続部材が、前記外筒の外筒第１端部の相対する２つの内側面に形成された２つのラッチ状フックを含み、前記第２接続部材が、前記接続カバーにおいて内側に向かって水平にくぼむように設けられた２つの係止フック溝を含み、該２つの係止フック溝の位置が、前記２つのラッチ状フックに対応し、前記外筒と接続ベースとを接続するとき、前記２つのラッチ状フックが、対応する前記２つの係止フック溝に係合する、ことを特徴とする。
【００１７】
さらに、密閉システム調剤投薬装置は、前記第１接続部材が、前記外筒の外筒第１端部の相対する両側面に設けられる２つのクリップフックを含み、該各クリップフックが、互いに連動するフック部と、押圧部を有し、該フック部が該押圧部の第１方向側に形成され、
前記第２接続部材は、相対する柱体第１端部と柱体第２端部とを有する２つの柱体を含み、該柱体第２端部が該柱体第１端部に向かう方向は第１方向であり、該２つの柱体は、前記接続ベースの接続ベース第２端部に形成され、該各柱体の柱体第２端部がかぎ状であり、
前記外筒と接続ベースとを接続するときは、前記２つのフック部が、対応する前記２つの柱体の柱体第２端部に係合する、ことを特徴とする。
【００１８】
さらに、密閉システム調剤投薬装置は、前記接続ベースが、挿入針とバイアル係合部をさらに含み、該挿入針が、該接続ベースの接続ベース第１端部に設けられるとともに、該接続ベース及び前記２本のリーマ針と接続されて連通し、前記少なくとも１つの外部接続孔が、該挿入針を貫通するように該挿入針に形成され、該バイアル係合部が、前記接続カバーの接続カバー第１端部に設けられる、ことを特徴とする。
【００１９】
さらに、密閉システム調剤投薬装置は、前記接続ベースが、前記接続カバーの接続カバー第１端部から前記第１方向に突出して延びる接続リングを更に含み、該接続リングの内壁面に雌ネジが形成されている、ことを特徴とする。
【００２０】
さらに、密閉システム調剤投薬装置は、前記接続ベースが、一端が前記接続カバーの接続カバー第１端部に設けられるとともに、前記少なくとも１つの外部接続孔と連通するＹ型管を更に含む、ことを特徴とする。
【００２１】
さらに、密閉システム調剤投薬装置は、前記接続ベースが、アダプタベースと点滴接続管を含む点滴接続器をさらに含み、該アダプタベースの側壁面が、前記接続カバーの接続カバー第１端部に接続されるとともに、前記少なくとも１つの外部接続孔と連通し、該点滴接続管が、該アダプタベースに設けられる、ことを特徴とする。
【図面の簡単な説明】
【００２２】
【図１】本発明の実施形態１の外観斜視図である。
【図２】本発明のプッシュバレルの構成要素の分解図である。
【図３】本発明の実施形態１の接続ベースの構成要素の分解図である。
【図４】本発明のプッシュバレルの一部の正面視断面図である。
【図５】本発明の実施形態１の接続ベースの正面視断面図である。
【図６】本発明の実施形態２の接続ベースと輸液管とが接続された状態を示す外観斜視図である。
【図７】本発明の実施形態２の接続ベースの正面視断面図である。
【図８】本発明の実施形態３の接続ベースと輸液管とが接続された状態を示す外観斜視図である。
【図９】本発明の実施形態３の接続ベースの正面視断面図である。
【図１０】本発明の実施形態４の接続ベースと輸液管とが接続された状態を示す外観斜視図である。
【図１１】本発明の実施形態４の接続ベースの正面視断面図である。
【図１２】本発明の実施形態１の薬液採取の過程における動作を示す図（１）である。
【図１３】本発明の実施形態１の薬液採取の過程における動作を示す図（２）である。
【図１４】本発明の実施形態１の薬液採取の過程における動作を示す図（３）である。
【図１５】図１２の部分拡大図である。
【図１６】本発明の第１形態の接続部材の模式図である。
【図１７】図１６の動作を示す図（１）である。
【図１８】図１６の動作を示す図（２）である。
【図１９】本発明の第２の形態の接続部材の模式図である。
【図２０】図１９の動作を示す図（１）である。
【図２１】図１９の動作を示す図（２）である。
【図２２】本発明の第３の形態の接続部材の模式図である。
【図２３】図２２の動作を示す図（１）である。
【図２４】図２２の動作を示す図（２）である。
【図２５】本発明の接続ベース及び漏れ防止部材の構成要素の分解図である。
【図２６】図２５の断面模式図である。
【図２７】本発明の接続ベースとバイアルとが結合された状態を示す模式図である。
【発明を実施するための形態】
【００２３】
本発明の密閉システム調剤投薬装置は、相対する第１方向と第２方向とを有し、後述する構成要素は、第１端部、第２端部とを有する場合、当該第１端部、第２端部が、当該構成要素の相対する両端に位置し、また、第２端部が該第１端部に向かう方向は第１方向であることを定義する。以下、図面及び本発明の好ましい実施形態とともに、本発明が所期の目的を達成するために用いる技術的手段について、更に説明する。
【００２４】
図１に示すように、本発明の密閉システム調剤投薬装置の実施形態１は、プッシュバレル１０及び相対する接続ベース第１端部と接続ベース第２端部とを有する接続ベース２０を含む。
【００２５】
図１及び図２に示すように、該プッシュバレル１０は、相対する外筒第１端部と外筒第２端部とを有する外筒１１、相対する内筒第１端部と内筒第２端部とを有する内筒１２、相対する気密蓋第１端部と気密蓋第２端部とを有する気密蓋１３及び相対するプッシュロッド第１端部とプッシュロッド第２端部とを有するプッシュロッド１４を含む。
【００２６】
前記外筒１１は、外筒開口１１１を有する筒状構造であり、該外筒開口１１１は、該外筒１１の外筒第２端部に形成されるとともに、該外筒開口１１１の周縁を囲むように水平に突出して延びる外輪フランジ１１８を含む。
【００２７】
図２及び図４に示すように、外筒１１は更に、相対する吸気管第１端部と吸気管第２端部とを有する吸気管１１２、接続孔１１３、ゴム栓１１４、外カバー１１５、ミス防止溝１１６及び第１接続部材１１９を含む。
【００２８】
前記吸気管１１２は、外筒１１の外筒第１端部から第１方向に突出するように延び、前記接続孔１１３は、外筒１１の外筒第１端部に、該吸気管１１２と離間して設けられ、前記ゴム栓１１４は、該吸気管１１２内に設けられる。より詳細に述べると、該ゴム栓１１４は、吸気管１１２内において、吸気管１１２の吸気管第１端部の開口に隣接するように設けられるとともに、該ゴム栓１１４には、密閉状態である切り込み１１７が設けられ、該ゴム栓１１４は、該吸気管１１２の吸気管第１端部を密封している。
【００２９】
本実施形態１において、前記吸気管１１２は、前記ゴム栓１１４によって選択的に密封されるが、これに限定されず、ゴム以外の材料を用いてもよく、また、本実施形態１において、ゴム栓１１４は、熱溶融によって前記吸気管１１２の吸気管第１端部に固定されるが、これに限定されず、他の方法により固定してもよい。
【００３０】
図１、図２、図４及び図１６に示すように、外カバー１１５は、前記外筒１１の外筒第１端部の周縁を囲むように該外筒１１の外筒第１端部に形成されるとともに、第１方向に沿って垂直に延びることにより、前記吸気管１１２及び接続孔１１３を覆う。尚、本実施形態１においては、前記外カバー１１５が弾性を有する材料であり、外力を受けるとそれに応じて部分的に変形し、前記ミス防止溝１１６は、外カバー１１５の内壁面に凹設されるとともに、対応する該外カバー１１５の外壁面が外側に突出している。更に、本実施形態１において、前記ミス防止溝１１６は１つであり、且つ前記外カバー１１５の一方の側の壁面に設けられているが、該ミス防止溝１１６の数及び位置はこれに限定されず、第１接続部材１１９が外カバー１１５に設けられてもよい。
【００３１】
図２及び図４に示すように、内筒１２は、外筒１１を貫通するように該外筒１１内に設けられ、且つ、前記外筒開口１１１を経由して第１方向に外筒１１の内部を貫通するように設けられるとともに、前記内筒第２端部に内筒開口１２１が形成され、該内筒開口１２１は、該内筒開口１２１の周縁を囲むように水平に突出して延びる内輪フランジ１２６を含み、該内輪フランジ１２６の第１方向側端面は、外筒１１の外輪フランジ１１８の第２方向側端面に当接する。
【００３２】
前記内筒１２は、空気孔１２２、薬液吸入管１２３及びゴム栓１２４を更に含み、そのうち空気孔１２２は、内筒１２の内側環状壁面に設けられる。より詳細に述べると、該空気孔１２２は、該内筒１２の内筒第２端部において、内筒開口１２１に隣接するように設けられるとともに、内筒１２の内部空間と外筒１１の内部空間とが互いに連通し、前記薬液吸入管１２３は、内筒１２の内筒第１端部に設けられるとともに、外筒１１の接続孔１１３を貫通して該接続孔１１３内に設けられ、ゴム栓１２４は、薬液吸入管１２３内において、薬液吸入管１２３の薬液吸入管第１端部の開口に隣接するように設けられるとともに、該ゴム栓１２４に、密閉状態である切り込み１２５が形成され、該ゴム栓１２４は、薬液吸入管１２３の薬液吸入管第１端部を選択的に密封する。
【００３３】
本実施形態１においては、前記薬液吸入管１２３が、前記ゴム栓１２４によって選択的に密封されるが、これに限定されなく、ゴム以外の材料を用いてもよい。更に、本実施形態１においては、ゴム栓１２４が熱溶融によって前記薬液吸入管１２３の薬液吸入管第１端部に固定されるが、これに限定されなく、他の方法により固定してもよい。
【００３４】
図１及び図４に示すように、気密蓋１３は、外筒１１の外筒第２端部及び内筒１２の内筒第２端部に設けられるとともに、前記外筒開口１１１及び内筒開口１２１を覆い、また、上蓋１３１、係合部１３２、中央開口１３３及び気密リング１３４を含み、そのうち、上蓋１３１は、前記内筒開口１２１の第２方向側に設けられて、内筒開口１２１及び外筒開口１１１を覆い、該係合部１３２は、環状の壁面であって、該上蓋１３１の第１方向側端面から第１方向に伸びている。使用者が気密蓋１３をプッシュバレル１０に組み付ける際は、該係合部１３２を第１方向にして前記外輪フランジ１１８の第１方向側端面に到達させると共に、外輪フランジ１１８が内輪フランジ１２６にしっかりと当接するように該外輪フランジ１１８の第１方向側端面を第２方向に押圧することで、係合部１３２がクランプ機構によって外筒１１と内筒１２を締め付け、相互に固定する。
【００３５】
前記中央開口１３３は、前記上蓋１３１の中央を貫通するように設けられ、前記内筒開口１２１を経由して前記内筒１２の内部空間と連通する。
【００３６】
図４に示すように、気密リング１３４は、気密蓋１３の気密蓋第１端部と内筒開口１２１との間で、気密蓋１３の気密蓋第１端部及び内筒開口１２１に密着し、より詳細に述べると、本実施形態１においては、該気密リング１３４が、前記上蓋１３１の第１方向側端面と係合部１３２の内壁面に設置され、該気密リング１３４によって、前記内輪フランジ１２６と上蓋１３１との間の隙間が埋められる一方、気密リング１３４の中央部は、第２方向に突出して延び、前記中央開口１３３を囲むように該中央開口１３３の内壁面に密着し、更に、前記気密リング１３４を設けることにより、気密蓋１３が前記外筒１１と内筒１２をしっかりと密封してクランプすることができる。
【００３７】
図１、図２及び図４に示すように、プッシュロッド１４は、外筒１１及び内筒１２を貫通するように第１方向及び第２方向に沿って移動可能に設けられると共に、相対するロッド部第１端部及びロッド部第２端部とを有するロッド部１４１とピストン部１４２を含み、そのうち、ロッド部１４１は、前記気密蓋１３の中央開口１３３を経由して、該内筒１２を第１方向に貫通してその内部空間に設けられ、該ピストン部１４２は、ロッド部１４１のロッド部第１端部、且つ内筒１２の内部空間に設けられ、更に、内筒１２の内部空間を、互いに連通しない２つの部分において第１方向側部分及び第２方向側部分に分割される。なお、前記内部空間は、分割された後、第２方向側部分が空気孔１２２と連通する。
【００３８】
図１、図３及び図２５に示すように、接続ベース２０は、プッシュバレル１０に着脱可能に接続され、接続カバー２１、２本のリーマ針２２、止水部材２３、弾性弁２４、第２接続部材２５及び漏れ防止部材２７を含む。
【００３９】
前記接続カバー２１の形状は、外筒１１の外カバー１１５の形状に対応している。すなわち、使用者がプッシュバレル１０を接続ベース２０にかぶせると、接続カバー２１の外壁が外カバー１１５の内壁に嵌合される。
【００４０】
図３及び図５に示すように、接続カバー２１の接続カバー第２端部には、相対する上部ケーシング第１端部と上部ケーシング第２端部とを有する上部ケーシング２１１、相対する台座第１端部と台座第２端部とを有する台座２１２、少なくとも１つの外部接続孔２１３、２つのアダプタ孔２１４及びミス防止突起２１５が設けられており、そのうち、上部ケーシング２１１は、上部ケーシング第１端部に開口を有するケース体であり、該台座２１２は、上部ケーシング２１１の上部ケーシング第１端部に設置され、該上部ケーシング２１１の上部ケーシング第１端部を密封する。なお、本実施形態１においては、台座２１２と上部ケーシング２１１とが貼り合わせによって接続されているが、これに限定されることはなく、例えば、ラッチや超音波接続等の他の方法で接続してもよい。
【００４１】
前記少なくとも１つの外部接続孔２１３は、前記接続カバー２１の接続カバー第１端部に設けられる。尚、本実施形態１においては、該少なくとも１つの外部接続孔２１３が２つであり、前記台座２１２を貫通するとともに、互いに離間するように設けられている。
【００４２】
前記２つのアダプタ孔２１４は、前記接続カバー２１の接続カバー第２端部に互いに離間するように設けられ、前記ミス防止突起２１５は、該接続カバー２１の側壁面から突出するように伸び、前記上部ケーシング２１１の側壁に設けられ、前記ミス防止溝１１６に摺動可能に嵌合される。すなわち、使用者がプッシュバレル１０と接続ベース２０とを結合させる際、ミス防止溝１１６をミス防止突起２１５に合わせなければ、プッシュバレル１０と接続ベース２０とをスムーズに結合させることができない。
【００４３】
図３及び図５に示すように、２本のリーマ針２２は、接続カバー２１内に、先端が第２方向を向くように設けられると共に、接続カバー２１の台座２１２に互いに離間し且つ平行に設けられ、そのうち、１本のリーマ針２２は、前記吸気管１１２のゴム栓１１４を貫通すると共に、該ゴム栓１１４の切り込み１１７を貫通して、該吸気管１１２に挿入され、もう１本のリーマ針２２は、前記薬液吸入管１２３のゴム栓１２４を貫通すると共に、該ゴム栓１２４の切り込み１２５を貫通して、該薬液吸入管１２３に挿入される。なお、本実施形態１においては、リーマ針２２と台座２１２とが貼り合わせによって接続されているが、これに限定されるものではなく、例えば、ラッチや超音波接続等の他の方法で接続してもよい。
【００４４】
図５に示すように、前記各リーマ針２２はそれぞれ、独立した内部空間と第１開口２２１を含み、該各リーマ針２２の内部空間はそれぞれ、前記台座２１２の２つの外部接続孔２１３と連通している。すなわち、該各リーマ針２２は、リーマ針第１端部を介して、対応する外部接続孔２１３と接続され、該リーマ針２２の内部と外部接続孔２１３とは互いに連通しており、該第１開口２２１は、該各リーマ針２２のリーマ針第２端部に設けられている。
【００４５】
また、前記薬液吸入管１２３と連通するリーマ針２２は、第２開口２２２を更に含み、該第２開口２２２は、薬液吸入管１２３と連通する該リーマ針２２の側壁面において、対応する前記第１開口２２１の第１方向側に設けられており、より詳細に述べると、該第２開口２２２は、該リーマ針２２の側壁面のリーマ針第１端部に設けられている。
【００４６】
図３及び図５に示すように、止水部材２３は、接続カバー２１内に設けられ、より詳細に述べると、該止水部材２３は、吸気管１１２と連通するリーマ針２２の内部空間に設けられる。なお、本実施形態１においては、前記止水部材２３が前記リーマ針２２のリーマ針第１端部に、該リーマ針２２のリーマ針第１端部と外部接続孔２１３とに挟まれるように設けられる。すなわち、前記止水部材２３は、前記台座２１２の内側面に設けられる。なお、本実施形態１においては、前記止水部材２３が疎水性を有する濾紙であるが、これに限定されるものではなく、その他の構造とすることもでき、水が通過してリーマ針２２内に入らないように阻止できればよい。
【００４７】
前記弾性弁２４は、圧縮可能な弾性体であり、前記接続カバー２１内に設けられるとともに、前記２本のリーマ針２２の外側を選択的に覆い、該弾性弁２４にはそれぞれ、該２本のリーマ針２２のリーマ針第２端部に対応する位置に位置する、密閉状態の２つの切り込み２４１が設けられ、該リーマ針２２は、該２つの切り込み２４１を貫通することができる。なお、本実施形態１においては、前記弾性弁２４の前記２つの切り込み２４１が、前記２つのゴム栓１１４、１２４と同じゴム材からなり、構造も同じであって、前記２本のリーマ針２２を差し込むことによって選択的に開放されるが、これに限定されるものではなく、該２つの切り込み２４１は、その他の材料からなるものであってもよい。
【００４８】
より詳細に述べると、本実施形態１においては、前記弾性弁２４が、前記２本のリーマ針２２の外側及びリーマ針第２端部を完全に覆うことから、接続ベース２０がプッシュバレル１０と接続されていない時には、該２本のリーマ針２２が該弾性弁２４の外に露出することはない。
【００４９】
前記第２接続部材２５は、接続ベース２０における、プッシュバレル１０の第１接続部材１１９に対応する位置に設けられている。
【００５０】
図２５、図２６及び図２７に示すように、漏れ防止部材２７は、接続ベース２０の接続ベース第１端部に設けられ、挿入針３１の周縁に外嵌されることにより、空気及び水分が通過するのを防ぎ、少なくとも１つの接着面２７１、フィルム２７２及び少なくとも１つのフランジ２７３を有する。使用者が組み付け作業を行う時は、前記接着面２７１を第１方向に向け、前記フィルム２７２は、取り外し可能に、前記少なくとも１つの接着面２７１を覆っている。なお、本実施形態１において、前記漏れ防止部材２７は、両面共に接着面２７１の防水接着紙であるが、これに限定されるものではない。
【００５１】
図１６〜図２４に示すように、本発明の第１接続部材１１９及び前記少なくとも１つの第２接続部材２５の構造と接続方法は、以下の複数の形態を有する。
【００５２】
図１６、図１７及び図１８に示すように、第１の形態は、第１接続部材１１９が外カバー１１５に外嵌されたスライドブッシュ１１９１と、それぞれ外カバー１１５の両側に設けられ、外カバー１１５と一体に成型された２つの弾性係止部１１９２を含み、該弾性係止部１１９２は、力を受けていない状態において、外カバー１１５の外側に向かって折れ曲がっている。より詳細に述べると、該２つの弾性係止部１１９２は、外カバー１１５の両側から外向きに分裂した２つの係止フックであって、外カバー１１５に弾性を持たせることで、該外カバー１１５を外に折り曲げる。
【００５３】
第１の形態においては、第２接続部材２５が２つの係止フック溝２５１を含み、該２つの係止フック溝２５１は、上部ケーシング２１１の上部ケーシング第１端部の相対する２つの側面に、内側に向かって水平にくぼむように形成され、また、該２つの係止フック溝２５１の位置は、前記２つの弾性係止部１１９２と対応している。
【００５４】
また、第１の形態における、第１接続部材１１９及び第２接続部材２５との結合方法であるが、使用者が外筒１１を接続ベース２０に外嵌させると、弾性係止部１１９２の位置が係止フック溝２５１に対応することから、使用者は、スライドブッシュ１１９１を第１方向に押すだけで、弾性係止部１１９２の外カバー１１５の外側に折れ曲がった箇所が、スライドブッシュ１１９１に押し下げられて、折れ曲がりが元に戻ることで、弾性係止部１１９２が係止フック溝２５１に係合し、プッシュバレル１０が第１方向及び薇第２方向に動かないようロックされる。一方、使用者がプッシュバレル１０を抜こうとするときは、スライドブッシュ１１９１を第２方向にスライドさせ、弾性係止部１１９２との当接を解除する。つまり、弾性係止部１１９２は、外力がかからなければ、折れ曲がった状態に戻り、係止フック溝２５１から外れるため、プッシュバレル１０を接続ベース２０から外すことができる。
【００５５】
図１９、図２０及び図２１に示すように、第２の形態においては、第１接続部材１１９’が、外カバー１１５’と一体に成型されるとともに、該外カバー１１５’の内壁面から内側に突出して延びる２つのラッチ状フックであり、第２接続部材２５’は、２つの係止フック溝２５１’を含む。その固定方法は、使用者が力を加えて、外カバー１１５’を第１方向にして上部ケーシング２１１’をその中に押し込むと、ラッチ状フックの形状が上部ケーシング２１１’とわずかに異なっていることから、外カバー１１５’は、該ラッチ状フックが内側へ突出しているためにわずかに変形する。そして、外カバー１１５’を第１方向に押圧し続けると、該２つのラッチ状フックが該２つの係止フック溝２５１’を通過するまで、該変形が維持され、２つのラッチ状フックが対応する２つの係止フック溝２５１’に係合する。それによって、外カバー１１５’の変形が元に戻り固定される。一方、使用者がプッシュバレル１０’を抜こうとするときは、第２方向に少し力を加えれば、２つのラッチ状フックを係止フック溝２５１’から外すことができる。
【００５６】
図２２、図２３及び図２４に示すように、第３の形態においては、第１接続部材１１９’’が２つのクリップフックであり、該２つのクリップフックは、前記外カバー１１５’’の相対する両側面にそれぞれ設けられ、該各クリップフックは、フック部と押圧部を有し、該フック部と押圧部との間に、互いに引っ張り合うための接続棒が設けられている。より詳細に述べると、使用者が前記押圧部を押圧すると、フック部が外カバー１１５’’から離間する方向に立ち上がり、第１の形態における弾性係止部のような広がった状態になる一方、第２接続部材２５’’は、２つのかぎ状の柱であって、それぞれ前記接続ベース２０’’に第２方向に伸びるように形成され、該２つの第２接続部材２５’’の位置は、前記第１接続部材１１９’’に対応している。この形態の固定方法は、使用者が、外カバー１１５’’を第１方向に接続ベース２０にかぶせると、前記２つの第１接続部材１１９’’が第１方向に、対応する第２接続部材２５’’と係合する。一方、使用者が抜こうとするときは、前記第１接続部材１１９’’の押圧部を押圧すれば、第１接続部材１１９’’を第２接続部材２５’’から外すことができる。
【００５７】
図１、図５及び図１５に示すように、本実施形態１においては、前記接続ベース２０の接続ベース第１端部、より詳細に述べると、前記接続カバー２１の台座２１２の台座第１端部は、挿入針３１及びバイアル係合部３２を更に含み、該挿入針３１は、該台座２１２の台座第１端部から先端を第１方向にして第１方向へ延伸し、該挿入針３１の内部が外部接続孔２１３と連通している。なお、本実施形態１においては、前記挿入針３１が前記台座２１２の台座第１端部と一体に該台座第１端部に設けられることにより、外部接続孔２１３が該挿入針３１を貫通して該挿入針３１に形成されるとともに、前記２つの外部接続孔２１３と前記２本のリーマ針２２の内部空間とが連通する。前記バイアル係合部３２は、前記接続カバー２１の接続カバー第１端部を囲むように形成され、より詳細に述べると、上部ケーシング２１１の上部ケーシング第１端部を囲むように形成されていると共に、接続カバー２１の接続カバー第１端部の周縁に離間して設けられ、且つ第１方向に垂直に延びる、複数のバイアル係合部材３２１を含み、更に、該各バイアル係合部材３２１の第１方向側端部はそれぞれ、バイアル係合部材３２１の内面に形成されるバイアル係合フック３２２を含む。
【００５８】
図６及び図７は、以下に示すように、本発明の実施形態２であり、その本実施形態２は、実施形態１とほぼ同じであるが、本実施形態２においては、接続カバー２１Ａの接続カバー第１端部に、前記挿入針３１及びバイアル係合部３２が設けられておらず、第１方向に垂直に延びる、環状壁面である接続リング３３Ａが設けられており、該接続リング３３Ａの内壁面には雌ネジ３３１Ａが設けられている。
【００５９】
図８及び図９は、以下に示すように、本発明の実施形態３であり、その本実施形態３は、実施形態１とほぼ同じであるが、本実施形態３においては、接続カバー２１Ｂの接続カバー第１端部に、前記挿入針３１及びバイアル係合部３２が設けられておらず、Ｙ型管３４Ｂが設けられており、該Ｙ型管３４Ｂの第２方向側の２つの枝部３４１Ｂのうち１つの枝部３４１Ｂが、接続カバー２１Ｂの接続カバー第１端部に接続され、且つ外部接続孔２１３Ｂと連通している。
【００６０】
図１０及び図１１は、以下に示すように、本発明の実施形態４であり、その本実施形態４は、実施形態１とほぼ同じであるが、本実施形態４においては、接続カバー２１Ｃの接続カバー第１端部に、前記挿入針３１及びバイアル係合件３２が設けられておらず、点滴接続器３５Ｃが設けられていると共に、アダプタベース３５１Ｃ及び点滴接続管３５２Ｃを含み、該アダプタベース３５１Ｃの側壁面は、接続カバー２１Ｃの接続カバー第１端部に接続されるとともに、外部接続孔２１３Ｃと連通し、該点滴接続管３５２Ｃは、該アダプタベース３５１Ｃを貫通して接続ベース３５１Ｃに設けられ、該アダプタベース３５１Ｃの内部は、該点滴接続管３５２Ｃの内部と連通している。
【００６１】
以下、本発明の実施方法について説明する。
【００６２】
図４、図５及び図１２に示すように、本発明の実施形態１において、前記接続ベース２０は、バイアルからの薬液採取に対応した設計となっており、使用者は、まず採取しようとする薬液のバイアル９１の口部において、接続ベース２０を、前記挿入針３１が第１方向を向くようにバイアル９１の口部の密封フィルムに刺入し、接続ベース２０の内部とバイアル９１の内部とを連通させる。このとき、バイアル係合部３２が前記バイアル９１の口部周縁に固定されることから、接続ベース２０を安定してバイアル９１の口部に設置することができる。
【００６３】
図２５、図２６及び図２７に示すように、使用者は、接続ベース２０を第１方向にしてバイアル９１の口部に位置させる前に、まず漏れ防止部材２７のフィルム２７２をはがすが、前記フランジ２７３は該接続ベース２０から突出しているため、使用者はフィルム２７２をはがしやすい。フィルム２７２をはがした後は、接着面２７１をバイアル９１に合わせ、第１方向に押圧すると、該接着面２７１が安定してバイアル９１の縁に接続されることから、漏れ防止部材２７の防水及び気密機能により、バイアル９１内の薬液９２が漏れ出すのを防ぐことができる。尚、前記フィルム２７２は、使用者が接続ベース２０とバイアル９１とをまだ接着させていないときに、誤って他の関係のないものに接着させてしまうのを防ぐためのものである。
【００６４】
図１、図１２及び図１５に示すように、接続ベース２０を固定した後、使用者は、外カバー１１５と接続ベース２０の方向を合わせて、プッシュバレル１０を接続ベース２０に接続させる。尚、本発明においては、前記２本のリーマ針２２をそれぞれ、外筒１１の吸気管１１２と、内筒１２の薬液吸入管１２３に挿入する必要があり、方向が特定されていることから、前記外カバー１１５のミス防止溝１１６及び接続カバー２１のミス防止突起２１５によって、使用者がプッシュバレル１０を誤って逆向きに接続ベース２０に挿入するのを防ぐことができる。
【００６５】
図１２及び図１５に示すように、プッシュバレル１０を挿入する過程においては、まず、前記吸気管１１２及び薬液吸入管１２３が、接続カバー２１の接続カバー第２端部のアダプタ孔２１４を経由して、接続カバー２１の内部に入るとともに、第１方向に弾性弁２４と当接する。そして、吸気管１１２及び薬液吸入管１２３が第１方向に徐々に押圧されると、弾性弁２４がそれに伴ってゆっくりと圧縮され、それによってリーマ針２２が、対応する弾性弁２４の２つの切り込み２４１に刺入され、続いて２つのゴム栓１１４、１２４にも刺入されて、それぞれ吸気管１１２及び薬液吸入管１２３の内部に入る。
【００６６】
図１３に示すように、プッシュバレル１０と接続ベース２０を接続した後、使用者は、本発明とそれに接続されたバイアル９１を逆さにして、プッシュロッド１４をゆっくりとバイアル９１と反対の方向に引く。このとき、プッシュロッド１４を引くたびに、プッシュロッド１４のピストン部１４２によって、ピストン部１４２と内筒１２の側内筒第１端部との間の体積が増加し、それに対して、ピストン部１４２と気密蓋１３との間の体積が減少する。この増減によって、もともとピストン部１４２と気密蓋１３との間にあった空気が、空気孔１２２を経由して外筒１１と内筒１２との間の空間、更にはバイアル９１内に進入し、バイアル９１内の薬液９２が、この余分な空気の圧力によって、挿入針３１を通過して第２方向に本発明の密閉システム調剤投薬装置に流入する。
【００６７】
更に、薬液９２が流入すると、バイアル９１内の空気又は薬液９２自体が揮発することにより発生したガスは、本発明の密閉システム調剤投薬装置が逆さになっていることから、薬液９２の第１方向側に浮上するため、第２方向に移動してプッシュバレル１０内に入ることがなく、且つ前記吸気管１１２を経由してバイアル９１に入った空気と混合される。また、薬液９２と、混合されたガスとをより完全に分離するために、前記止水部材２３が設けられた前記リーマ針２２を通過する際に、止水部材２３によって薬液９２を通過できないようにし、ガスのみを通過させる。更に、このガスだけが通過するリーマ針２２は、外筒１１の吸気管１１２と連通しているため、ガスがプッシュバレル１０内に入っても、吸気管１１２に進入することで、外筒１１と内筒１２との間の内部空間に沿って、気密蓋１３の方向に向かって連続的に流れ、その後、該内筒１２に設けられた空気孔１２２を通過して、ピストン部１４２と気密蓋１３との間の空間に流入する。
【００６８】
同時に、薬液９２は、もう１本のリーマ針２２を通過して内筒１２の薬液吸入管１２３に進入するとともに、内筒１２の内部に進入するため、薬液採取時に気液分離することができる。
【００６９】
図１４に示すように、薬液の採取が完了すると、本発明のプッシュバレル１０を接続ベース２０から引き抜くが、前記２本のリーマ針２２が、貫通していた切り込み１１７、１２５から抜かれる瞬間に、ゴム栓１１４、１２４がそれぞれ閉止状態に戻る。従って、プッシュバレル１０内の薬液９２及びガスはいずれも、薬液採取の過程で偶発的に流出することがなく、同時に、薬液９２を流通させる前記リーマ針２２を引き抜く際に、前記第２開口２２２は、負圧の原理により該リーマ針２２の側壁及び弾性弁２４に残留する薬液９２を、弾性弁２４の内部空間に十分に吸い戻すことにより、本発明の薬液採取における密封性を高めることができる。
また、前記２つの第一開口２２１の構造は、第２開口２２２と同じであって、位置のみが異なるため、プッシュバレル１０を引き抜く際、残留している薬液９２は、第２開口２２２を通過した後、第１開口２２１を通過するときに、第１開口２２１によって更に吸い戻されるので、残留薬液を十分に吸い戻すことができる。
【００７０】
図６及び図７に示すように、本発明の実施形態２において、前記接続ベース２０Ａは、薬液の採取が完了したプッシュバレル１０Ａに用いるものであり、該接続ベース２０Ａを介して、上記の使用ステップとは逆方向に患者に薬液を注入し、接続ベース第１端部の接続リング３３Ａは、ネジの螺合によって、対応する輸液管に迅速に接続される。更に、本実施形態２は、薬液を患者の体内に注射するステップに関するものであるため、もともと止水部品が配置されていた位置に、空気が患者の体内に注入されないように、空気が本発明から注射の方向へ流出するのを阻止することができる逆止弁２６Ａが配置されている。
【００７１】
図８及び図９に示すように、本発明の第３の実施形態において、接続ベース２０Ｂの接続ベース第１端部は、Ｙ型管３４Ｂのうちの一方の枝部３４１Ｂと連通し、もう一方の枝部３４１Ｂは、別途点滴に接続することができるとともに、該２つの枝部３４１Ｂの第１方向側端部は、１つの管に合流し、患者の体内に点滴液を送る。そのため、使用者は、本実施形態３の接続ベース２０Ｂを介して、注射しようとする薬物を点滴液とともに患者に送ることができる。また、実施形態２と同様に、本実施形態３も、薬液を患者の体内に注射するプロセスに関わるものであるため、止水部材が設けられていた位置に、空気が本発明から注射方向へ流出するのを阻止して、空気が患者の体内に流入しないようにすることができる逆止弁２６Ｂが、替わりに設けられている。
【００７２】
図１０及び図１１に示すように、本発明の実施形態４は、実施形態３と、点滴に適合した設計である点において同様であるが、本実施形態４の点滴接続管３５２Ｃは、バイアル又は薬液バッグと直接に連通するとともに、アダプタベース３５１Ｃの一端に本発明のプッシュバレルが接続され、本発明内の薬液と、薬液バイアル又は薬液バッグ内の薬液とを十分に混合した後、滴下によって患者に注入する。すなわち、実施形態３では、点滴バッグの滴下と同時に添加しようとする薬液を注入し、実施形態４では、注入しようとする薬液と他のバイアル又は薬液バッグの薬液とを混合した後に、点滴液として患者に注入する。尚、本実施形態４も、患者に薬液を注入する過程に関するものであるため、止水部材を逆止弁２６Ｃに交換することもできる。
【００７３】
本発明は、挿入、薬液採取及び抜き取りの過程において、危険性のある針先が全く外に出ないため、安全性が非常に高く、また、薬液及びガスの流動は、全て接続ベース２０の接続カバー２１の内部で行われ、プッシュバレル１０を引き抜くと、プッシュバレル１０及び接続ベース２０が密閉状態に戻ることから、薬液の採取においても非常に高い密封性が保たれるので、医療スタッフが薬物によって汚染される可能性を回避することができる。更に、本発明は、挿入と引き抜きを容易且つ迅速に行うことができ、本発明の使用効率を向上させることができる。以上のように、本発明は、薬物を採取する構造において、その安全性と使いやすさ、及び利便性を兼ね備えた設計となっている。
【００７４】
以上の説明は、本発明の好ましい実施形態に過ぎず、本発明に対して何ら形式上の限定を行うものではない。本発明は好ましい実施形態によって上記のように開示されているが、それは本発明を限定するためのものではなく、すべての当業者が、本発明の技術構想を逸脱しない範囲において、上記に開示する技術内容を用いて変更及び修飾を行った等価の実施形態で、且つ本発明の技術構想の内容を逸脱しないものは、本発明の技術的本質に基づいて上記の実施形態に対して行われたいかなる簡単な修正、等価の変更及び修飾も、依然としてすべて本発明の技術構想の範囲内にある。
【符号の説明】
【００７５】
１０、１０’、１０Ａ  プッシュバレル
１１  外筒
１１１  外筒開口
１１２  吸気管
１１３  接続孔
１１４  ゴム栓
１１５、１１５’、１１５”  外カバー
１１６  ミス防止溝
１１７  切り込み
１１８  外輪フランジ
１１９、１１９’  第１接続部材
１１９１  スライドブッシュ
１１９２  弾性係止部
１２  内筒
１２１  内筒開口
１２２  空気孔
１２３  薬液吸入管
１２４  ゴム栓
１２５  切り込み
１２６  内輪フランジ
１３  気密蓋
１３１  上蓋
１３２  係合部
１３３  中央開口
１３４  気密リング
１４  プッシュロッド
１４１  ロッド部１４１
１４２  ピストン部
２０、２０”、２０Ａ、２０Ｂ  接続ベース
２１、２１Ｃ  接続カバー
２１１、２１１’  上部ケーシング
２１２  台座
２１３、２１３Ｂ、２１３Ｃ  外部接続孔
２１４  アダプタ孔
２１５  ミス防止突起
２２  リーマ針
２２１  第１開口
２２２  第２開口
２３  止水部材
２４  弾性弁
２４１  切り込み
２５、２５’  第２接続部材
２５１、２５１’  係止フック溝
２６Ａ、２６Ｂ、２６Ｃ  逆止弁
２７  漏れ防止部材
２７１  接着面
２７２  フィルム
２７３  フランジ
３１  挿入針
３２  バイアル係合部
３２１  バイアル係合部材
３２２  バイアル係合フック
３３Ａ  接続リング
３３１Ａ  雌ネジ
３４Ｂ  Ｙ型管
３４１Ｂ  枝部
３５Ｃ  点滴接続器
３５１Ｃ  アダプタベース
３５２Ｃ  点滴接続管
９１  バイアル
９２  薬液
Ｌ１  第１方向
Ｌ２  第２方向
【図１】
0006945641.tif 000002
【図２】
0006945641.tif 000003
【図３】
0006945641.tif 000004
【図４】
0006945641.tif 000005
【図５】
0006945641.tif 000006
【図６】
0006945641.tif 000007
【図７】
0006945641.tif 000008
【図８】
0006945641.tif 000009
【図９】
0006945641.tif 000010
【図１０】
0006945641.tif 000011
【図１１】
0006945641.tif 000012
【図１２】
0006945641.tif 000013
【図１３】
0006945641.tif 000014
【図１４】
0006945641.tif 000015
【図１５】
0006945641.tif 000016
【図１６】
0006945641.tif 000017
【図１７】
0006945641.tif 000018
【図１８】
0006945641.tif 000019
【図１９】
0006945641.tif 000020
【図２０】
0006945641.tif 000021
【図２１】
0006945641.tif 000022
【図２２】
0006945641.tif 000023
【図２３】
0006945641.tif 000024
【図２４】
0006945641.tif 000025
【図２５】
0006945641.tif 000026
【図２６】
0006945641.tif 000027
【図２７】
0006945641.tif 000028